(57)【要約】【課題】  縦向きの握り易い位置で握り用い得る手すり装置であって、手すりが壁面から極力突き出さず、しかも、脇を緩めた自然な姿勢で手すりの握り使用をなし得る手すり装置の提供。【解決手段】  壁Ｗに備えられている上下方向に長い手すりＨａと、当該手すりＨａを握って行動する者の側方に張り出される当該行動者の腕部Ｍを入れ込むことができる凹状の空間Ｓをなすように当該壁Ｗに設けられた凹部Ｈｂ又は出窓Ｈｃとを備えた手すり装置。【選択図】図５
2005090083.tif 000002
【特許請求の範囲】
【請求項１】
壁に備えられている上下方向に長い手すりと、この手すりを握って行動する者の側方に張り出される当該行動者の腕部を入れ込むことができる凹状の空間をなすように前記壁に設けられた凹部又は出窓とを備えている手すり装置。
【請求項２】
前記手すりが、段差のある歩行面に連続して備えられた壁に設けてある請求項１に記載の手すり装置。
【請求項３】
前記手すりが、前記段差を構成する上り框に連続して備えられた壁であって、この上り框の前端を通る仮想の垂直面から該上り框における出入り方向のいずれか一方に離れて設けてある請求項２に記載の手すり装置。
【請求項４】
前記手すりが、前記段差を構成する上り框に連続して備えられた同一の壁であって、この上り框の前端を通る仮想の垂直面から該上り框における出入り方向にそれぞれ離れて設けられた一対の手すりである請求項２に記載の手すり装置。
【発明の詳細な説明】
【技術分野】
【０００１】
この発明は、建築物における壁厚を効果的に用いることによって使い勝手の良好な手すりを備えた手すり装置の提供に関する。
【背景技術】
【０００２】
通例、各種の行動をなす際に、それぞれの動作を想定して前もって必要箇所にそれぞれの動作に適応する形態の手すりを設け、この予め設けられた手すりを利用することによって、目的とする行動を円滑かつ安全に、しかも、少ない動作負担によってなし得るようにすることが種々試みられている。
【０００３】
例えば、建築物における壁を利用し、この壁に手すりを備えつけることによって、当該壁の壁面に沿って移動しようとする者の円滑かつ安全な移動動作を効果的に補助し得るようにしたものがある。
【０００４】
このように壁面に備えられる手すりにあっては、当該手すりを容易かつ確実に握る意図から、この手すりにおける手すりバーを設置対象壁面から十分に離した状態で設けることが要請されるが、当該壁面の近傍における各種動作の安全性や当該壁面に沿った各種の動作の安全性などを保障する意図から、当該手すりを構成する手すりバーを設置対象壁面から極力前方に突き出さないように設けることが要請されていた。
【０００５】
かかる点から、通例、壁面に備えられる手すりは、当該壁面から突き出される一対のアーム間に手すりバ−を掛け渡すなどして設けると共に、この手すりバ−と壁面との間の間隔を、当該手すりバ−を用いて行動する際に必要とされる必要最小限の間隔となるように構成していた。
【０００６】
また、このような壁面の利用に難のある場合、特許文献１に示されるように窓の窓台や玄関収納の天板を利用して手摺の手摺部を構成するようにしたものがあった。
【０００７】
この特許文献１に示される玄関の手摺は、水平板材の一部、より具体的には、この水平板材の前端縁を手摺部として握り用い得るようにしたものであって、一定の握り高さに設定された手摺部を有する手摺、いわゆる横手すりを窓の窓台や玄関収納を利用して構成するものである。
【０００８】
しかしながら、縦向きの握り易い位置において握り用い得る上下方向に長い手すりであって、かつ設置対象面に近接又は当該設置対象面に沿った行動の妨げとなることなく、しかも、自然な姿勢、すなわち、手すりを握って行動する者が、当該手すりの握り動作において肘を側方に開き出す、いわゆる脇を緩めた自然な姿勢での握り動作をなし得る手すりは無く、縦向きの握り易い位置において手すりを握って行動する際に、この手すりを握って行動する者の肘部分が当該手すりの設置対象面に突き当たり、脇を締めた窮屈な姿勢で当該手すりの握り動作をなす必要があった。
【特許文献１】特開平８−４９３８１号公報
【発明の開示】
【発明が解決しようとする課題】
【０００９】
この発明が解決しようとする主たる問題点は、縦向きの握り易い位置において握り用い得る手すりを備えた手すり装置であって、この手すり装置における手すりを壁面から極力突き出さないように設置し得ると共に、当該手すりを握って用いる者が脇を緩めた自然な姿勢で当該手すりの握り使用をなし得るようにする点にある。
【課題を解決するための手段】
【００１０】
前記課題を解決するために、この発明にあっては、手すり装置を、壁に備えられている上下方向に長い手すりと、この手すりを握って行動する者の側方に張り出される当該行動者の腕部を入れ込むことができる凹状の空間をなすように前記壁に設けられた凹部又は出窓とを備えているものとした。
【００１１】
かかる構成の手すり装置にあっては、上下方向において握り易い位置で手すりを握り用い得ると共に、この手すりを握った行動に際して、腕部を壁面の側に張り出し状態とすることができ、脇を緩めた状態で、手すりを握ったり、当該手すりを頼った各種動作をなすことができ、しかも、当該手すり装置が、壁に近接した行動や当該壁に沿った行動の妨げとならない特長を有している。
【００１２】
また、前記手すり装置にあって、手すりを、段差のある歩行面に連続して備えられた壁に設けた手すり装置では、前記特長に併せて、歩行面の段差部分における上り下りの動作をより円滑かつ安全になすことができる特長を有している。
【００１３】
また、前記手すり装置にあって、当該手すりが、前記段差を構成する上り框に連続して備えられた壁であって、この上り框の前端を通る仮想の垂直面から該上り框における出入り方向のいずれか一方に離れて設けた手すり装置では、前記特長に併せて、前記上り框部における一方の壁に、当該壁の面に沿った上り動作又は下り動作を比較的少ない労力で円滑かつ安全になし得る手すり装置を構成できる特長を有している。
【００１４】
また、前記手すり装置にあって、当該手すりが、前記段差を構成する上り框に連続して備えられた同一の壁であって、この上り框の前端を通る仮想の垂直面から該上り框における出入り方向にそれぞれ離れて設けられた一対の手すりである手すり装置では、前記特長に併せて、前記上り框部における一方の壁に、当該壁の面に沿った上り動作と下り動作とを比較的少ない労力で円滑かつ安全になし得る手すり装置を構成できる特長を有している。
【発明の効果】
【００１５】
この発明に係る手すり装置にあっては、上下方向の握り易い位置において手すりの握り使用をなし得ると共に、この手すりを握った行動に際して、腕部を壁面の側に張り出し状態にして用い得るようにすることによって、脇を緩めた自然な状態の楽な姿勢による手すりの握り動作を可能とし、しかも、当該手すり装置が、壁に近接した行動や当該壁に沿った行動の妨げとならない利点を有している。
【発明を実施するための最良の形態】
【００１６】
以下、この発明を実施するための最良の形態に係る手すり装置Ｈについて詳細に説明する。
【００１７】
図１〜図７は、この発明を実施するための最良の形態に係る手すり装置Ｈ’を、図８及び図９は、当該発明を実施するための他の最良の形態に係る手すり装置Ｈ”を示している。
【００１８】
この発明を実施するための最良の形態に係る手すり装置Ｈは、壁Ｗに備えられている上下方向に長い手すりＨａと、この手すりＨａを握って行動する者の側方に張り出される当該行動者の腕部Ｍを入れ込むことができる凹状の空間Ｓをなすように前記壁Ｗに設けられた凹部Ｈｂ又は出窓Ｈｃとを備えている構成としてある。
【００１９】
かかる構成の手すり装置Ｈにあっては、上下方向において握り易い位置で手すりＨａを握り用い得ると共に、この手すりＨａを握った行動に際して、腕部Ｍを壁面の側に張り出し状態とすることができ、脇を緩めた状態で、手すりＨａを握ったり、当該手すりＨａを頼った各種動作をなすことができ、しかも、当該手すり装置Ｈが、壁に近接した行動や当該壁に沿った行動を妨げることがない。
【００２０】
また、前記手すりＨａを、段差Ｌのある歩行面Ｒに連続して備えられた壁Ｗに設けるように構成してあってもよく、このように構成される手すり装置Ｈにあっては、歩行面の段差部分における上り下りの動作をより円滑かつ安全になすことができる。
【００２１】
また、前記手すりＨａが、段差Ｌを構成する上り框Ｋに連続して備えられた壁Ｗであって、この上り框Ｋの前端を通る仮想の垂直面Ｇから該上り框Ｋにおける出入り方向のいずれか一方に離れて設けるように構成してあってもよく、このように構成される手すり装置Ｈにあっては、前記上り框部における一方の壁Ｗに、当該壁の面に沿った上り動作又は下り動作を比較的少ない労力で円滑かつ安全になし得る手すり装置Ｈを構成することができる。
【００２２】
また、前記手すりＨａが、段差Ｌを構成する上り框Ｋに連続して備えられた同一の壁Ｗであって、この上り框Ｋの前端を通る仮想の垂直面Ｇから該上り框Ｋにおける出入り方向にそれぞれ離れて設けられた一対の手すりＨａとしてあってもよく、このように構成される手すり装置Ｈにあっては、前記上り框Ｋ部における一方の壁Ｗに、当該壁の面に沿った上り動作と下り動作とを比較的少ない労力で円滑かつ安全になし得る手すり装置Ｈを構成することができる。
【００２３】
なお、前記手すり装置Ｈを構成する壁Ｗは、造作の施された壁Ｗを意味しており、造作材をも含む概念であって、出窓Ｈｃやニッチなどの各種の造作の施されている外壁や仕切り壁などの建築物に備えられる各種の壁を称するものである。
【００２４】
かかる壁Ｗに備えられる手すりＨａは、当該壁Ｗに備えられて、何らかの行動をなそうとする者が握って用い得る上下方向に長い手すりＨａであれば、いかなる形態のものであってもよい。
【００２５】
例えば、前記壁Ｗを構成するニッチなどの凹部Ｈｂのカウンターをなす下板２２と該凹部Ｈｂの上板２１のそれぞれの突き出し部を手すりＨａの支持部１０とし、この下板２２と上板２１が構成するそれぞれの支持部１０、１０間に手すり体１１をかけ渡しの状態に設けることによって、当該壁Ｗに上下方向に長い手すりＨａを構成するようにしてあってもよい。
【００２６】
例えば、また、前記壁Ｗを構成する出窓Ｈｃのカウンターをなす下枠板２２’と該出窓Ｈｃの上枠板２１’のそれぞれの突き出し部を当該手すりＨａの支持部１０とし、この下枠板２２’と上枠板２１’が構成するそれぞれの支持部１０、１０間に手すり体１１をかけ渡しの状態に設けることによって、当該壁Ｗに上下方向に長い手すりＨａを構成するようにしてあってもよい。
【００２７】
例えば、また、前記壁Ｗを構成するニッチなどの凹部Ｈｂのカウンターをなす下板２２と該凹部Ｈｂの上板２１とをそれぞれ手すりＨａの支持部１０とし、この凹部Ｈｂ内において前記下板２２と上板２１が構成するそれぞれの支持部１０、１０間に手すり体１１をかけ渡しの状態に設けることによって、当該壁Ｗに上下方向に長い手すりＨａを構成するようにしてあってもよい。
【００２８】
例えば、また、前記壁Ｗを構成する出窓Ｈｃを構成する出窓構成下枠板２２’と上枠板２１’とをそれぞれ手すりＨａの支持部１０、１０とし、この出窓Ｈｃ内において前記下枠板２２’と上枠板２１’とが構成するそれぞれの支持部１０、１０間に手すり体１１をかけ渡しの状態に設けることによって、当該壁Ｗに上下方向に長い手すりＨａを構成するようにしてあってもよい。
【００２９】
例えば、また、当該壁Ｗに上下に対をなすように突き出し状態に支持部を設け、この支持部間に手すり体１１を組み付けることによって、当該壁Ｗに上下方向に長い手すりＨａを構成するようにしてあってもよい。
【００３０】
例えば、また、前記壁Ｗを構成するニッチなどの凹部Ｈｂの構成材における突き出し部を一方の支持部１０とし、これに対応して突き出し状態に壁Ｗに備えられる支持部との間に手すり体１１をかけ渡しの状態に設けることによって、当該壁Ｗに上下方向に長い手すりＨａを構成するようにしてあってもよい。
【００３１】
例えば、また、当該壁Ｗを構成する出窓Ｈｃの構成材における突き出し部を一方の支持部１０とし、これに対応して突き出し状態に壁Ｗに備えられた支持部との間に手すり体１１をかけ渡しの状態に設けることによって、当該壁Ｗに上下方向に長い手すりＨａを構成するようにしてあってもよい。
【００３２】
かかる手すりＨａを構成する手すり体１１は、壁Ｗに対して上下方向に長く備え付け得るものであって、行動する者が都合よく握り用い得る形態のものであれば、いかなる形態のものであってもよい。
【００３３】
かかる手すり体１１は、例えば、各種の棒状体、管状体、板状体などの上下方向に長い各種細長状のものや、起立状態にある板状体の上下方向を向いた一側縁部を平断面が円弧状をなすように膨らませた棒状グリップ部としたものや、比較的厚みのある起立状態の板状体の上下方向を向いた一側縁部に沿って板の厚さ方向に貫通したスリットを設け当該スリットに沿った当該側縁部を細長板状の握り部として構成するなど、手すりＨａとして用い得るものであれば、いかなる形態からなるものであってもよい。
【００３４】
また、かかる手すりＨａは、前記凹部Ｈｂ又は出窓Ｈｃの凹み内に位置するように備えられていてもよく、また、当該凹部Ｈｂ又は出窓Ｈｃの凹みの外側に位置するように備えられていてもよい。
【００３５】
また、前記凹部Ｈｂは、手すり体１１を握って行動する者の動作に際して側方に張り出される当該行動者の腕部Ｍ、典型的には、当該行動者の肘を含む腕部Ｍを入れ込むことのできる凹状の空間Ｓをなすように壁Ｗに設けられたものであればいかなる形態からなるものであってもよく、単なる壁面の凹みや、壁内を用いて構成される各種の化粧棚あるいはニッチなどの各種の用途に併用される凹みなど、前記手すりＨａを握って行動する者の腕部、典型的には、当該行動者の肘を含む腕部Ｍを入れ込むことができる凹状の空間Ｓをなすように当該壁Ｗに備えられた凹部Ｈｂであればいかなる形態のものであってもよい。
【００３６】
また、前記出窓Ｈｃは、当該出窓Ｈｃの室内側に、手すり体１１を握って行動する者の動作に際して側方に張り出される当該行動者の腕部、典型的には、当該行動者の肘を含む腕部Ｍを入れ込むことのできる凹状の空間Ｓをなすように壁Ｗに設けられたものであればいかなる形態からなるものであってもよく、各種態様の出窓Ｈｃを当該手すり装置Ｈを構成する出窓Ｈｃとすることができる。
【００３７】
かかる手すり装置Ｈは、建築物における外壁や仕切り壁などとして構成される壁Ｗであれば、いかなる箇所にも設置し得るものであって、例えば、当該建築物を用いる者が縦向きに備えられている手すりを用いて何らかの動作をなす必要のある箇所にある壁Ｗや、歩行面Ｒに何らかの段差Ｌのある箇所の壁Ｗ、例えば、段差Ｌを構成する玄関などの上り框Ｋの側方にある壁Ｗなど、縦向きの手すりＨａを握って何らかの動作をする必要のある部分の壁位置に設置して用いられる。
【００３８】
まず、当該発明を実施するための最良の形態に係る手すり装置Ｈを、図１〜図７に示される手すり装置Ｈ’に基づいて具体的に説明する。
【００３９】
この図１〜図７に示される手すり装置Ｈ’は、当該発明を実施するための最良の一形態に係る手すり装置Ｈ’であって、壁Ｗに備えられている上下方向に長い手すりＨａと、当該手すりＨａを握って行動する者の側方に張り出される当該行動者の腕部Ｍ、典型的には、肘を含む腕部Ｍを入れ込むことができる凹状の空間Ｓをなすように当該壁Ｗに設けられた凹部Ｈｂとを備えたものとして構成してある。
【００４０】
かかる手すり装置Ｈ’を、この図１〜図７で示される手すり装置Ｈ’にあっては、壁Ｗ、より具体的には、縦向きに備えられた手すりＨａを握って動作を要請される壁Ｗ、典型的には、当該壁Ｗに沿って何らかの動作をする必要のある部位にある壁Ｗ、更に典型的には、段差Ｌのある歩行面Ｒに連続した壁Ｗ、例えば、歩行面Ｒとして連続して備えられている玄関どまＴと玄関フロアーＦとの間に段差Ｌとして備えられた上り框Ｋに連続した壁Ｗ、すなわち、当該上り框Ｋにおける出入り方向の側方にある壁Ｗに手すり装置Ｈ’を設けた構成を示している。
【００４１】
そして、この図示例に係る手すり装置Ｈ’は、当該壁Ｗに縦向きに備えられた手すりＨａと、当該手すりＨａを握って行動する者の側方に張り出される当該行動者の腕部Ｍ、典型的には、肘部を含む腕部Ｍの入れ込まれ得る凹状の空間Ｓとなる当該壁Ｗに形成された凹部Ｈｂを備えたものとして構成してあり、この手すりＨａを、当該壁Ｗの近傍で動作する者が握り用い得る位置に設けてあると共に、前記凹部Ｈｂが、この手すりＨａを握って用いる者の当該行動に際して側方に張り出される腕部Ｍ、典型的には、肘を含む腕部Ｍの入れ込み得る凹状の空間Ｓとなるように構成してある。
【００４２】
この図示例に係る手すり装置Ｈ’は、当該手すり装置Ｈ’を玄関ホールに設置した一態様を示したものであって、当該玄関を構成する上り框Ｋの側方、すなわち、当該上り框Ｋの側端に連続する壁Ｗ（すなわち、上り框の長さ方向に直交する向きに当該上り框に連続して設けられている壁Ｗ）に手すり装置Ｈ’を設けた一態様を示している。
【００４３】
かかる玄関の上り框Ｋにおける側端、すなわち、当該上り框Ｋの長さ方向の端部に連続して設けられている壁Ｗに備えられる手すり装置Ｈ’は、１本の上下方向に長い手すりＨａと当該手すりＨａを握って用いる者の腕部Ｍを入れ込み得る凹状の空間Ｓとしての凹部Ｈｂを備えた構成としたものや、当該上り框Ｋの長さ方向の一端側に連続する壁Ｗに当該上り框Ｋに対する上がり込みに際して握り用いられる手すりＨａを、また、他方端側に連続する壁Ｗに当該上り框Ｋから下りる際に握り用いる手すりＨａをそれぞれ前記各手すりＨａを用いる者の腕部Ｍの入れ込み得る凹状の空間Ｓとしての凹部Ｈｂと共に備えた構成としてものや、当該上り框Ｋの長さ方向の一端側に連続する壁Ｗに当該上り框Ｋに対する上がり込みに際して握り用いられる手すりＨａと当該上り框Ｋから下りる際に握り用いる手すりＨａとをそれぞれ前記各手すりＨａを用いる者の腕部Ｍの入れ込み得る凹状の空間Ｓとしての凹部Ｈｂと共に備えた構成としたものなどがある。
【００４４】
この図示例に係る手すりＨａは、前記手すりＨａが上り框Ｋに連続する同一の壁Ｗ、すなわち、当該上り框Ｋにおける側端に連続する壁Ｗであって、この上り框Ｋの前端を通る仮想の垂直面Ｇから当該上り框Ｋにおける出入り方向にそれぞれ離れた位置に設けられた一対の手すりＨａとして構成してあり、より具体的には、当該壁Ｗに構成される凹状の空間Ｓを構成する凹部Ｈｂ、この図示例にあっては、ニッチ状に備えられた当該凹部Ｈｂの構成材、すなわち、当該ニッチ状凹部Ｈｂを構成するニッチカウンター状の下板２２と、これに対応して当該ニッチ状凹部Ｈｂの上面側を構成する上板２１とをそれぞれ支持部１０として、当該支持部１０、１０間に棒状の手すり体１１を組み付けることによって、一対の手すりＨａを構成してある。
【００４５】
このように壁Ｗに備えられる凹部Ｈｂ及び当該凹部Ｈｂを腕部Ｍの入れ込み得る凹状の空間Ｓとするように当該壁Ｗに備えられる手すりＨａは、必要とされる高さ方向の任意の位置で当該手すりＨａの手すり体１１を握り用い得るように、所定高さ位置間に亙る上下方向に長い手すり体１１としてあると共に、いずれか一方の手すり体１１を握り用いる際に、他方の手すり体１１が当該手すりＨａを握り使用する者の腕部Ｍの前記凹部Ｈｂへの入れ込みを妨げない構成、すなわち、いずれか一方の手すり体１１を握り用いる際に腕部Ｍが他方の手すり体１１に妨げられないように当該手すり体１１、１１間に十分な間隔を設けるようにしてある。
【００４６】
かかる玄関の上り框Ｋにおける側端、すなわち、当該上り框Ｋの長さ方向の端部に連続して設けられている壁Ｗに備えられる手すり装置Ｈ’の手すりＨａは、典型的には、前記上り框Ｋの前端を通る仮想の垂直面Ｇ、いわゆる玄関フロアーＦと玄関どまＴとの間に構成される段差面を含む垂直面Ｇから、当該上り框Ｋにおける出入り方向に所定間隔を離した状態で設けてある。すなわち、当該垂直面Ｇから、それぞれ、前記玄関フロアーＦと玄関どまＴ側とに所定間隔離された状態で設けるようにしてある。
【００４７】
この図示例に係る手すり装置Ｈ’にあっては、対象とされる壁Ｗに対して前記手すりＨａと当該手すりＨａの都合の良い握り使用に適応するように備えられる凹部Ｈｂとを容易かつ確実にもたらし得るように手すり構成体Ｕを別段に用意し、この別段に用意された手すり構成体Ｕを壁Ｗの構成に際して当該壁Ｗに組み付けるようにして当該壁Ｗを構成するようにしてある。
【００４８】
かかる手すり構成体Ｕは、構成対象とされるニッチなどの形態に対応した構成を備えたものとして用意されており、例えば、前面側が開口状態とされ、しかも、この前面側に上下方向に長い手すり体１１を有する化粧箱状のものとして構成してあったり、各化粧板材を周回状態に設けた短寸角筒状をなす枠状のものとして構成し、これに、上下方向に長い手すりＨａを設けたものなど各種形態のものとして用意されており、この図示例にあっては、横向きに備えられる通例ニッチのカウンターとされる下板２２及び当該下板２２と略同一形状、同一寸法からなる上板２１とを２本の棒状をなす手すり体１１によって連結した手すり構成体Ｕが示されている。
【００４９】
かかる手すり構成体Ｕの上板２１と下板２２とは、略同一形状で略同一寸法の板材によって構成してあり、上板２１は、連続して備えられている長方形状をなす納まり板部２１Ａ及び該納まり板部２１Ａより長幅の長方形状をなす突き出し板部２１Ｂを有し、また、下板２２は該上板２１と同様に長方形状をなす納まり板部２２Ａ及び該納まり板部２２Ａより長幅の長方形状をなす突き出し板部２２Ｂを有する構成としてある。
【００５０】
かかる手すり構成体Ｕの上板２１と下板２２は、それぞれの納まり板部２１Ａ、２２Ａにおける後端面２１Ａａ、２２Ａａを手すり装置Ｈ’の構成される壁Ｗにおける背面側の壁面材３ｂに突き当たるように当該納まり板部２１Ａ、２２Ａを壁Ｗ内に略水平向きに納めいれ、かつ、当該納まり板部２１Ａ、２２Ａの前方側にあって、該納まり板部２１Ａ、２２Ａより長幅状に備えられている当該側方に向けた延設板部２１Ｂ’、２２Ｂ’の後端面２１Ｂｃ、２２Ｂｃを当該壁Ｗの前面側の壁面材３ａに接しさせるように該突き出し板部２１Ｂ、２２Ｂを当該壁面から前方に突き出させるように該壁Ｗに組み付けられる構成としてあり、この上板２１と下板２２とを互いの面が向き合うように組み付けた状態で、前記突き出し板部２１Ｂ及び突き出し板部２２Ｂを支持部１０とし、この各支持部１０、１０間に垂直向きに手すり体１１を、例えば、ビス１２などを用いて備え付けることによって両者を連結し、当該下板２２と上板２１間に縦向きに手すり体１１を備えた手すりＨａ、Ｈａを構成するようにしてある。
【００５１】
かかる図示例に係る手すり構成体Ｕは、前記上板２１及び下板２２における前記手すり体１１、１１間であって当該手すり体１１、１１より後方側にある前記納まり板部２１Ａ、２２Ａ間を、当該手すりＨａを握り用いて行動する者の側方に張り出される腕部Ｍの入れ込み可能な凹状の空間Ｓをなすように構成してあり、また、この上板２１と下板２２とに備えられる手すり体１１が、当該手すり構成体Ｕの備えられる壁Ｗにあって、縦向きの手すりＨａとして都合良く用い得る長さを有するように構成してある。
【００５２】
また、この図示例にかかる手すり構成体Ｕは、この手すり構成体Ｕにおける下板２２の前端縁２２Ｂａ部に沿って上下方向に貫通した細長状のスリット２２Ｂｄを設けてあり、このスリット２２Ｂｄによって区分された当該下板２２の前端縁部を横向きに握り用いるに都合の良い手すり部２２Ｂｅとしてあると共に、当該スリット２２Ｂｄを該手すり部２２Ｂｅを握り用いるに都合の良い幅を備えたものとして構成してある。
【００５３】
なお、前記スリット２２Ｂｄを設けることなく、当該突き出し板部２２Ｂの前端縁部に沿って凹溝を設け、この凹溝によって区分される当該突き出し板部２２Ｂの前端縁部を手すり部として構成してあってもよい。また、この突き出し板部２２Ｂの前端縁部を当該前端縁に棒状材を一体に備えた形状とし、この突き出し板部２２Ｂの前端縁部に構成される棒状部を手すり部として用いるようにしてあってもよい。
【００５４】
このように構成された手すり構成体Ｕを、当該手すり構成体Ｕにおける前記手すりＨａを握り用いる際に握り易い高さ並びに握り易い壁位置に備えるように、当該壁Ｗの壁面材３ａの前面に前記上板２１及び下板２２における各突き出し板部２１Ｂ、２２Ｂの延設板部２１Ｂ’、２２Ｂ’の後端面２１Ｂｃ、２２Ｂｃを突き当て状態にすると共に当該壁Ｗ内に前記納まり板部２１Ａ、２２Ａを納め入れて壁Ｗに一体に組み付け、当該手すり装置Ｈ’を備えた壁Ｗを構成する。
【００５５】
このように構成される手すり装置Ｈ’にあっては、当該手すり装置Ｈ’における縦向きに備えられている手すり体１１の任意の高さ位置を握り用いることによって、円滑かつ確実に各種の行動をなし、しかも、横向きに備えられている前記手すり部２２Ｂｅを握り用いることによって各種行動を円滑かつ確実になすことができる。
【００５６】
次いで、当該発明を実施するための最良の一形態に係る手すり装置Ｈを、図８及び図９に示される手すり装置Ｈ”に基づいて具体的に説明する。
【００５７】
この図８及び図９で示される手すり装置Ｈ”は、当該発明を実施するための最良の一形態に係る手すり装置Ｈ”であって、壁Ｗに備えられている上下方向に長い手すりＨａと、当該手すりＨａを握って行動する者の側方に張り出される当該行動者の腕部Ｍ、典型的には、肘を含む腕部Ｍの入れ込まれ得る凹状の空間Ｓをなすように当該壁Ｗに設けられた出窓Ｈｃとを備えた構成としてある。
【００５８】
この図８及び図９に示される手すり装置Ｈ”を構成する出窓Ｈｃは、出窓構成枠材、すなわち、上枠板２１’、下枠板２２’と一対の側枠板２３’とを短寸角筒状をなすように壁Ｗに組み付けると共に雨戸４を備えつけた構成としてあり、前記手すりＨａを握って動作をする者の腕部Ｍ、典型的には、肘を含む腕部Ｍの入れ込み得る凹状の空間Ｓをなすように壁Ｗに当該出窓Ｈｃを構成した以外の当該手すり装置Ｈ”における実質的な構成を前記図１〜図７に示される手すり装置Ｈ’と同様に構成してある。
【００５９】
すなわち、この図８及び図９で示される手すり装置Ｈ”は、前記図１〜図７に示される手すり装置Ｈ’における前記凹部Ｈｂを構成する下板２２及び上板２１と同様に機能する上枠板２１’と下枠板２２’とを当該出窓Ｈｃを構成する枠材によって構成してあり、この出窓Ｈｃの構成枠材における上枠板２１’を納まり板部２１’Ａと壁面から突き出す突き出し板部２１’Ｂとを備えた構成とし、また、下枠板２２’を納まり板部２２’Ａと壁面から突き出す突き出し板部２２’Ｂとを備えた構成としてある。また、この上枠板２１’と下枠板２２’のそれぞれの突き出し板部２１’Ｂ、２２’Ｂを、それぞれの納まり板部２１’Ａ、２２’Ａよりも左右方向に長い構成とし、このそれぞれの納まり板部２１’Ａ、２２’Ａから横方向に突き出すように延設板部２１’Ｂ’、２２’Ｂ’を備えた構成としてある。
【００６０】
かかる上枠板２１’の突き出し板部２１’Ｂと下枠板２２’の突き出し板部２２’Ｂとを支持部１０とし、この各支持部１０、１０間に手すり体１１を構成する２本の手すりロッド１１ａを縦向きに組みつけて手すりＨａを構成し、この手すりＨａの手すり体１１を握って行動する者の腕部Ｍを前記納まり板部２１’Ａ、２２’Ａと側枠板２３’の構成する出窓Ｈｃの凹状の空間Ｓに入れ込み得るように構成してある。
【００６１】
また、前記下枠板２２’の突き出し板部２２’Ｂには、前記図１〜図７に示される手すり装置Ｈ’におけると同様のスリット２２’Ｂｄが設けてあり、このスリット２２’Ｂｄによって当該突き出し板部２２’Ｂの前端縁部に沿って手すり部２２’Ｂｅを設けた構成としてある。
【００６２】
このように構成された手すり装置Ｈ”における当該手すりＨａを前記図１〜図７に示される手すり装置Ｈ’におけると同様に用いることによって、前記図１〜図７に示される手すり装置Ｈ’におけると同様の作用・効果を当該手すり装置Ｈ”にもたらすようにしてある。
【００６３】
したがって、当該手すり装置Ｈ”にあっても、前記手すりＨａを握って各種の動作の効果的な補助、特に、当該手すりＨａの上下方向の適宜位置を握って各種の動作をなす際に、当該手すりＨａを握って行動する者の腕部Ｍを当該出窓Ｈｃに構成される凹状の空間Ｓ内に入れ込み得ることから、脇を緩めた自然な姿勢のままで当該動作をなすことができる。
【００６４】
なお、前記図１〜図７に示される手すり装置Ｈ’の構成と同一又は実質的に同一とされる当該手すり装置Ｈ”の構成部分については同一の番号を付して、その説明を省略する。
【実施例１】
【００６５】
かかる手すり装置Ｈ’の典型的な一実施例について具体的に説明する。
【００６６】
この実施例に係る手すり装置Ｈ’は、玄関フロアーＦと玄関どまＴ間に備えられた段差Ｌを構成する上り框Ｋの長さ方向端に連続する壁Ｗを手すり構成体Ｕを備えた壁Ｗとして構成したものであり、当該壁Ｗを柱１、１間に窓台、まぐさなどの固定用の適宜の横材２や適宜に必用とされる下地材などを備えかつ該柱１の前面側に石膏ボードなどの壁面材３ａを背面側に石膏ボードなどの壁面材３ｂを備え、さらに、必用な化粧の施されたものとしてある。
【００６７】
この実施例に係る手すり装置Ｈ’は、当該手すり装置Ｈ’の備えらる壁Ｗを、典型的には、平断面が正方形で且つ一辺が１０５ｍｍ〜１２０ｍｍの角柱を備え、しかも、１２９ｍｍ〜１４４ｍｍの壁厚のものとしてあり、この実施例１にあっては、前記角柱を、正方形をなす平断面の一辺が１０５ｍｍの典型的な角柱を用いて当該壁Ｗを構成し、しかも、該壁Ｗに連続する玄関フロアーＦと玄関どまＴ間の垂直方向の寸法、すなわち段差寸法をおよそ１８０ｍｍとした玄関の壁Ｗに備えて構成した。
【００６８】
この実施例に係る手すり装置Ｈ’は、前記条件にあって当該手すり装置Ｈ’を構成する壁Ｗを、以下の手すり構成体Ｕの当該壁Ｗに対する組み付けによって構成した。
【００６９】
かかる手すり構成体Ｕは下板２２及び上板２１並びに手すり体１１をなす２本のロッド１１ａによって構成した。
【００７０】
この上板２１は、厚さが２０ｍｍ〜３０ｍｍの１枚の板材によって構成してあり、長方形状をなす納まり板部２１Ａと、この納まり板部２１Ａより長い長方形状をなす突き出し板部２１Ｂとを一連に有する構成としてある。そして当該納まり板部２１Ａの短寸側の幅を、該納まり板部２１Ａより側方に張り出している前記突き出し板部２１Ｂの延設板部２１Ｂ’の後端面２１Ｂｃを前記壁Ｗの壁面材３ａに接しさせた状態で当該納まり板部２１Ａの後端面２１Ａａが前記壁Ｗ内にあって前記壁面材３ｂに都合よく密着する寸法とし、その長さ寸法を３００ｍｍ〜６００ｍｍとしてある。また、前記突き出し板部２１Ｂは、その短寸側の幅寸法を９０ｍｍ〜１３０ｍｍ、長さ寸法を３８０ｍｍ〜７２０ｍｍとしてある。
【００７１】
また、前記下板２２は、前記上板２１と同一形状で同一寸法の一連に備えられた納まり板部２２Ａと突き出し板部２２Ｂとを有する厚さが２０ｍｍ〜３０ｍｍの一枚の板材によって構成してあり、更に、当該突き出し板部２２Ｂにおける前端縁２２Ｂａから２８ｍｍ〜４０ｍｍの位置に当該前端縁２２Ｂａに沿うように開口幅寸法が３５ｍｍ〜４０ｍｍで開口長さ寸法が２２０ｍｍ〜５２０ｍｍのスリット２２Ｂｄを当該スリット２２Ｂｄの長さ方向の中心が当該突き出し板部２２Ｂの長さ方向の中心となるように設けてあり、このスリット２２Ｂｄから当該突き出し板部２２Ｂの前端縁２２Ｂａ間を板幅が２８ｍｍ〜４０ｍｍで、板厚が２０ｍｍ〜３０ｍｍで、２２０ｍｍ〜５２０ｍｍ長さの手すり部２２Ｂｅとして構成してある。
【００７２】
かかる下板２２と上板２１間に組み付けられるロッド１１ａは、直径が２８ｍｍ〜４０ｍｍで、長さ寸法が６００ｍｍ〜１２００ｍｍの丸棒として用意した。
【００７３】
かかる下板２２の上面の上方に上板２１が位置するように位置付けると共に、この上板２１及び下板２２におけるそれぞれの突き出し板部２１Ｂ、２２Ｂをロッド１１ａの支持部１０として、この各支持部１０、１０間に前記ロッド１１ａを縦向きに挟み入れ、この上板２１と下板２２側から該ロッド１１ａにそれぞれビス１２をねじ入れて手すり構成体Ｕを構成するようにしてある。
【００７４】
この手すり構成体Ｕにおけるロッド１１ａは、前記下板２２及び上板２１のそれぞれの突き出し板部２１Ｂ、２２Ｂにおける延設板部２１Ｂ’、２２Ｂ’の後端面２１Ｂｃ、２２Ｂｃからの出寸法Ｘが５０ｍｍ〜７０ｍｍの位置であって、前端縁２１Ｂａ、２２Ｂａから４０ｍｍ〜６０ｍｍ奥に入った位置で、しかも、長さ方向の側端縁２１Ｂｂ、２２Ｂｂから４０ｍｍ〜６０ｍｍ入った位置に当該ロッド１１ａの中心軸線を位置付けた構成としてある。
【００７５】
このように構成した手すり構成体Ｕに、前記上板２１及び下板２２の納まり板部２１Ａ、２２Ａの側端面２１Ａｂ、２２Ａｂを覆うように備え付けられる側板２３を該側端面２１Ａｂと側端面２２Ａｂとを連結するように設け、しかも、前記上板２１及び下板２２のそれぞれの突き出し板部２１Ｂ、２２Ｂの延設板部２１Ｂ’２２Ｂ’の後端面２１Ｂｃ、２２Ｂｃを当該壁Ｗの前面側の壁面材３ａに接するようにして、前記それぞれの納まり板部２１Ａ、２２Ａを当該壁Ｗを構成する窓台、まぐさなどの横向きに備えられる固定用の横材２間に入れ込み、当該手すり構成体Ｕを該横材２に止着することによって、この下板２２、上板２１及び各側板２３と当該壁Ｗにおける背面側の壁面材３ｂとによって、前記凹状の空間Ｓをなすように凹部Ｈｂを構成し、更に、必要な造作施工と共に、壁Ｗの仕上げを施してある。
【００７６】
すなわち、この実施例にあっては、この手すり構成体Ｕにおける突き出し板部２１Ｂ、２２Ｂの延設板部２１Ｂ’、２２Ｂ’の後端面２１Ｂｃ、２２Ｂｃを壁Ｗの一方側の壁面材３ａの面に当接し、且つ、当該手すり構成体Ｕにおける納まり板部２１Ａ、２２Ａの後端面２１Ａａ、２２Ａａを当該壁Ｗの他方側の壁面材３ｂに密着させた状態で、前記のように壁Ｗに組み付けることによって、当該壁Ｗに前記手すり体１１として備えられるロッド１１ａを握って動作する際の当該動作者の腕部Ｍを入れ込み得る凹状の空間Ｓをなすように凹部Ｈｂを、例えば、ニッチなどとして機能し得るように構成した。
【００７７】
ここで壁Ｗに組み付けられた手すり構成体Ｕは、当該手すり構成体Ｕにおける下板２２の上面と上り框Ｋの上面との間の寸法、すなわち、手すり体１１の下端位置が上り框Ｋの上面から６５０ｍｍ〜８５０ｍｍ上方に位置付けられ且つ当該手すり体１１の上端が上り框Ｋの上面から１２５０ｍｍ〜２０５０ｍｍ上方に位置付けられる構成としてあり、しかも、この手すり構成体Ｕにおける各ロッド１１ａ、１１ａ間の中心を通る垂直の仮想の線分が前記上り框Ｋの前端面を通る仮想の垂直面Ｇにあるようにした。
【００７８】
このように構成される手すり装置Ｈ’は、前記手すり体１１を構成するロッド１１ａの中心軸線と前記前面側の壁面材３ａ及び側板２３との間の間隔を５０ｍｍ〜７０ｍｍとし、しかも、この各ロッド１１ａの中心軸線間の間隔を３００ｍｍ〜６００ｍｍとし、この各ロッド１１ａの中心軸線と当該凹部Ｈｂを構成する背面側の壁面材３ｂの板面との間の間隔を１６７ｍｍ〜１８７ｍｍとして構成することによって、上り框Ｋ側に向けた上がり込みに際して玄関フロアーＦ側にある手すり体１１を握った当該上がり込みを円滑かつ確実になすことができ、また、玄関フロアーＦから玄関どまＴに降り立つ際に、この玄関どまＴ側にある手すり体１１を握り用いることによって、当該上り框Ｋ側からの玄関どまＴに向けた円滑かつ確実な移動動作をなすことができた。
【００７９】
なお、前記で構成される手すり装置Ｈ’は、前記手すり構成体Ｕにおける下板２２の上面と上り框Ｋの上面との間の寸法、すなわち、手すり体１１の下端位置を上り框Ｋ上面から６５０ｍｍ〜８５０ｍｍ上方に位置付け、且つ、当該手すり体１１の上端を上り框Ｋ上面から１２５０ｍｍ〜２０５０ｍｍ上方に位置付けるように構成することによって使用に都合の良い手すり装置Ｈ’を構成することができた。
【００８０】
また、前記で構成される手すり装置Ｈ’は、前記手すり構成体Ｕにおけるロッド１１ａの中心軸線を前記上り框Ｋの前端を通る仮想の垂直面Ｇから、当該上り框Ｋにおける出入り方向にそれぞれ１５０ｍｍ〜３００ｍｍ離した位置に設けることによって使用に都合の良い手すり装置Ｈ’を構成することができた。
【００８１】
このように構成された手すり装置Ｈ’にあっては、当該手すり装置Ｈ’における縦向きに備えられている手すり体１１の任意の高さ位置を握り用いることによって円滑かつ確実に各種の行動をなすことができ、同時に、横向きに備えられている前記手すり部２２Ｂｅを握り用いることによって各種行動を円滑かつ確実になすことができる。
【図面の簡単な説明】
【００８２】
【図１】典型的な手すり装置Ｈの斜視図
【図２】同一部を破断して示した正面図
【図３】同要部の縦断面図
【図４】同要部の平断面図
【図５】同使用状態を示す要部の平断面図
【図６】手すり構成体の部品分離斜視図
【図７】同手すり構成体の組み立て斜視図
【図８】他の典型的な手すり装置Ｈを示す要部の縦断面図
【図９】同一部を破断して示す正面図
【符号の説明】
【００８３】
Ｈ  手すり装置
Ｈａ  手すり
Ｈｂ  凹部
Ｈｃ  出窓
Ｗ  壁
Ｓ  凹状の空間
Ｍ  腕部
Ｋ  上り框
Ｇ  仮想の垂直面
【図１】
2005090083.tif 000003
【図２】
2005090083.tif 000004
【図３】
2005090083.tif 000005
【図４】
2005090083.tif 000006
【図５】
2005090083.tif 000007
【図６】
2005090083.tif 000008
【図７】
2005090083.tif 000009
【図８】
2005090083.tif 000010
【図９】
2005090083.tif 000011